(57)【特許請求の範囲】
【請求項１】
複数の物品の全体重量を計量する重量計からの計量データの変化量に基づいて前記重量計上に載置されている物品の取り出しを検出して物品取り出し情報を発生すると共に、取り出された物品の重量を求める物品重量測定部と、この物品重量測定部から発生された物品取り出し情報の供給を受けて前記取り出された物品の収納位置を決定し指示する作業指示部と、前記取り出された物品の重量とその物品が収納された位置とを対応付けて管理するとともに、次に取り出されて未収納状態にある物品の重量を管理する収納位置・重量管理部と、収納物品と未収納物品とを含めて組合せ演算を行なって予め設定した合計重量となる物品の組合せを求め、求めた組合せを出力する組合せ演算部とを備えたことを特徴とする組合せ計量装置。
【請求項２】
請求項１に記載の組合せ計量装置において、前記組合せ演算部の組合せ出力に基づいて指定された収納位置の物品を自動排出する物品排出機構を備えたことを特徴とする組合せ計量装置。
【請求項３】
複数の物品の全体重量を計量する重量計からの計量データの変化量に基づいて前記重量計上に載置されている物品の取り出しを検出して物品取り出し情報を発生すると共に、取り出された物品の重量を求め、前記発生された物品取り出し情報の供給を受けて前記取り出された物品の収納位置を決定して指示し、前記取り出された物品の重量とその物品が収納された位置とを対応付けて管理するとともに、次に取り出されて未収納状態にある物品の重量を管理し、収納物品と未収納物品とを含めて組合せ演算を行なって予め設定した合計重量となる物品の組合せを求め、求めた組合せを出力することを特徴とする組合せ計量方法。
【請求項４】
請求項３に記載の組合せ計量方法において、前記組合せ演算に基づいて予め設定した合計重量となる物品の組合せを求め、求めた組合せに基づいて該当する収納位置の物品を自動排出することを特徴とする組合せ計量方法。
【発明の詳細な説明】
【０００１】
【発明の属する技術分野】
本発明は、複数の物品、例えば農作物の合計重量が所定重量になるよう組合せる組合せ計量装置および組合せ計量方法に関する。
【０００２】
【従来の技術】
予め設定された組合せ重量の範囲内となるように組合わされた被計量物を高速で自動的に選択して表示すると共に、実際に選択した被計量物の合計重量をその都度正確に検知して、選択の適否を判定することができ、機械的可動部分が少なくメンテナンスの容易な組合せ秤が、特開平９−７９８９２号公報に記載されている。
【０００３】
この組合せ秤は、複数の収納部にそれぞれ載置される被計量物の合計重量を一括して測定する計量部を備えている。そして、収納指示手段によって指示された収納部に被計量物を収納すると、被計量物を収納する前後における合計重量の変化量に基づいて、指示した収納部に収納された被計量物の重量が求められる。全ての収納部に被計量物が収納されると組合せ演算がなされ、目標重量範囲となる組合せがある場合は、目標重量範囲となる収納部の組合せが表示される。
【０００４】
【発明が解決しようとする課題】
特開平９−７９８９２号公報に記載された組合せ秤は、全ての収納部に被計量物が収納された状態で目標重量範囲となる組合せが存在しなかった場合、収納済の物品の全てまたは一部を入れ替える必要がある。この物品を入れ替え作業は面倒であるとともに、余分な工数の発生となる。
そこで、全ての収納部に被計量物が収納された状態で目標重量範囲となる組合せが存在しなかった場合には、新たな物品を含めて目標重量範囲となる組合せを求めることで、収納済の物品を入れ替え作業を不要にすることが望まれる。
【０００５】
また同公報に記載された組合せ秤にあっては、未収納部が複数存在する場合でも、指定された収納位置に物品を収納する必要がある。このため、作業者は指定された収納位置を確認しながら収納作業を行なう必要があり、未収納部の任意の一つに物品を収納する場合よりも作業性が悪い。また、収納位置を常に確認する必要があるため、作業者の精神的な負担が大きくなる。
そこで、未収納部が複数存在する場合は、任意の未収納部に物品を収納できるようにすることで、収納作業性の改善を図ることが望まれる。
【０００６】
また同公報に記載された組合せ秤にあっては、目標重量範囲となる組合せがある場合には収納部の組合せが表示されるので、作業者は、組合せ表示を確認して物品を取り出す必要がある。
そこで、組合せの確認作業を不要にし、目標重量範囲となる組合せの物品が自動的に取り出せるようにすることで、作業性の改善を図ることが望まれる。
【０００７】
本発明は上記課題を解決するためなされたもので、全ての収納部に物品が収納された状態で目標重量範囲となる組合せが存在しなかった場合に、次の物品を含めて目標重量範囲となる組合せを求めることで、収納部に収納した物品を入れ替えることなく目標重量範囲となる組合せを得ることのできる組合せ計量装置および組合せ計量方法を提供することを第１の目的とする。
また、各収納部に物品が収納されたことを検出する物品収納検出部をそれぞれ設けることで、任意の未収納部に物品を収納できるようにして収納作業性を改善した組合せ計量装置および組合せ計量方法を提供することを第２の目的とする。さらに、目標重量範囲となる組合せの物品が自動的に取り出せるようにすることで作業性を改善した組合せ計量装置および組合せ計量方法を提供することを第３の目的とする。
【０００８】
【課題を解決するための手段】
前記課題を解決するため請求項１に係る組合せ計量装置および請求項３に係る組合せ計量方法は、複数の物品の全体重量を計量する重量計からの計量データの変化量に基づいて前記重量計上に載置されている物品の取り出しを検出して物品取り出し情報を発生すると共に、取り出された物品の重量を求める物品重量測定部と、この物品重量測定部から発生された物品取り出し情報の供給を受けて取り出された物品の収納位置を決定し指示する作業指示部と、取り出された物品の重量とその物品が収納された位置とを対応付けて管理するとともに次に取り出されて未収納状態にある物品の重量を管理する収納位置・重量管理部と、組合せ演算に基づいて予め設定した合計重量となる物品の組合せを求めて出力する組合せ演算部とを備えた。
【００１０】
また、請求項２に係る組合せ計量装置および請求項４に係る組合せ計量方法は、組合せ演算部の組合せ出力に基づいて指定された収納位置の物品を自動排出する物品排出機構を備えた。
【００１１】
請求項１および請求項３に係る組合せ計量装置および組合せ計量方法は、各収納部に収納された収納物品と未収納物品とを含めて組合せ演算を行なう。したがって、全ての収納部に物品が収納された状態で目標重量範囲となる組合せが存在しなかった場合でも、次の物品を含めて目標重量範囲となる組合せを求めることができる。よって収納部に収納した物品を入れ替えることなく目標重量範囲となる組合せを得ることができる。
【００１３】
請求項２および請求項４に係る組合せ計量装置および組合せ計量方法は、組合せ演算に基づいて予め設定した合計重量となる物品の組合せを求め、求めた組合せに基づいて該当する収納位置の物品を自動排出する。よって目標重量範囲となる組合せの物品が自動的に取り出される。
【００１４】
【発明の実施の形態】
以下に本発明の実施の形態を添付図面に基づいて説明する。図１は本発明に係る組合せ計量装置の構成図であり、この組合せ計量装置１は、重量計２と、複数の収納部３Ａ〜３Ｎと、制御装置４とからなる。重量計２には、コンテナ，輸送箱，梱包箱等に入れられた複数の物品（商品）Ｓが載置される。重量計２は、複数の物品の全体重量を計量し、計量データ２ａを出力する。制御装置４は、物品重量測定部５と、収納位置・重量管理部６と、組合せ演算部７と、組合せ条件設定部８と、作業指示部９と、音声合成装置１０と、音声認識装置１１とを備える。各収納部３Ａ〜３Ｎは、物品Ｓの収納位置を示す収納ランプ１２Ａ〜１２Ｎと、物品Ｓの取り出し位置を示す取出ランプ１３Ａ〜１３Ｎとをそれぞれ備える。
【００１５】
物品重量測定部５は、重量計２から供給される計量データ２ａの変化量に基づいて重量計２上に載置されている物品Ｓの取出しを検出するとともに、取り出された物品Ｓの重量を求める。物品重量測定部５は、先の計量データ２ａが例えば２０００グラムであったものが、例えば１９００グラムに変化した場合は、１００グラムの物品Ｓが取り出されたものと判断する。なお、物品重量測定部５は、計量データ２ａの減少値が予め設定した物品取り出し判定値を越えた場合に、物品が取り出されたものと判断する。また、物品重量測定部５は、計量データ２ａが増加した場合には新たな物品が重量計２の上に補充されたものと判断する。この場合、増加した重量から物品取り出し判定値を越える重量が減少した際に、物品Ｓが取り出されたものと判断するようにしている。物品重量測定部５は、計量データ２ａの変化に基づいて物品Ｓが取り出されたことを検出すると物品取り出し情報５ａを作業指示部９へ供給するとともに、取り出された物品Ｓの重量データ５ｂを収納位置・重量管理部６へ供給する。
【００１６】
作業指示部９は、物品取り出し情報５ａが供給されると、取り出された物品Ｓの収納位置を決定し、例えば「収納位置Ａ」等の音声メッセージを音声合成するための音声合成データを音声合成装置１０へ供給して、音声合成装置１０から例えば「収納位置Ａ」等の音声指示メッセージを発生させるとともに、第１の収納部３Ａの収納ランプ１２Ａを点灯させる点灯指令を出力して、収納ランプ１２Ａを点灯させる。なお、収納ランプ１２Ａを設けずに、音声指示メッセージだけで収納位置を指示するようにしてもよい。また、音声合成装置１０を設けずに、収納ランプ１２Ａに基づいて収納位置を指示するようにしてもよい。
【００１７】
物品Ｓを取り出した作業者は、指示された収納位置に取り出した物品Ｓを収納すると、例えば「収納完了」とか「収納」等の収納確認を示す音声を発する。音声認識装置１１は、収納確認を示す音声を認識すると、収納完了情報を作業指示部９へ供給する。なお、音声認識装置１１を設けずに、作業指示部９は物品重量測定部５から次の物品Ｓの取り出し情報５ａが供給された時点で、先に取り出した物品Ｓの収納が完了したものと判断するようにしてもよい。また、各収納部３Ａ〜３Ｎに、光電式検出器，感圧式検出器等を設けて、それらの検出器の検出出力に基づいて物品Ｓの収納が完了したことを検出するようにしてもよい。
【００１８】
作業指示部９は、物品Ｓの収納完了を検出すると、収納位置情報を収納位置・重量管理部６へ供給する。収納位置・重量管理部６は、物品Ｓの収納位置とその重量とを対応付けて一時記憶する。作業指示部９は、次の物品Ｓが取り出されたことを認識すると、未収納状態の収納部３Ａ〜３Ｎを指定する。このようにして、全ての収納部３Ａ〜３Ｎに物品Ｓが収納された状態になると、作業指示部９は組合せ演算開始指令を組合せ演算部７へ供給して、組合せ演算を開始させる。
【００１９】
組合せ条件設定部８は、物品Ｓの組合せ個数、組合せ重量範囲を設定するためのキーボード等を備える。作業者等は、組合せ条件設定部８を用いて、組合せ個数、組合せ重量範囲を予め設定しておく。例えば、みかん，なす，じゃがいも等の果実，農作物等を例えば３個の組合せで例えば１キログラムとし、袋詰めしたり、箱入れしたり、皿に盛って販売する場合、組合せ個数を３に設定し、組合せ重量範囲の下限値を例えば９９８グラムに設定し、組合せ重量範囲の上限値を例えば１００８グラムに設定する。設定された組合せ個数，組合せ重量範囲の下限値，組合せ重量範囲の上限値は、組合せ条件設定部８に一時記憶されるとともに、組合せ演算部７へ供給される。
【００２０】
尚、組合せ個数の設定は省略することができる。組合せ個数が指定されない場合、組合せ演算部７は組合せ重量範囲となる組合せを求める。また、組合せ重量の目標値を設定することで、予め登録した計算式等に基づいて組合せ重量範囲の下限値，組合せ重量範囲の上限値を自動的に設定するようにしてもよい。
【００２１】
組合せ演算部７は、作業指示部９から組合せ演算開始指令が供給されると、収納位置・重量管理部６に一時記憶されている収納位置・重量データ群に対して組合せ演算を施して、組合せ条件設定部８で設定された組合せ個数，組合せ重量範囲の条件を満足する組合せを求める。組合せ演算部７は、設定された組合せ個数，組合せ重量範囲を満足する組合せが求まった場合、その組合せの各収納位置情報を作業指示部９へ供給する。
【００２２】
作業指示部９は、各収納位置情報に基づいて物品Ｓを取り出す収納位置の組合せを音声合成装置１０を介して音声メッセージで出力するとともに、該当する収納部の取出ランプ１３Ａ〜１３Ｎを点灯させる。例えば、第１，第３，第７の収納部に収納された物品の合計重量が目標とする重量範囲（例えば９９８〜１００８グラム）となる場合、第１，第３，第７の収納部の取出ランプが点灯するとともに、収納部Ａ，Ｃ，Ｈを指示する音声メッセージが供給される。作業者等は、指定された収納部の物品Ｓを全て取り出し、それらの商品を組合せ商品として包装等する。
【００２３】
組合せ演算部７は、組合せ演算の結果、設定された組合せ条件を満足する組合せが求めれらなかった場合、組合せが存在しないことを示す情報を作業指示部９へ供給する。この場合、作業指示部９は、音声合成装置１０を介して次の物品Ｓを取り出すことを指示する音声メッセージを発生させる。作業指示部９は、物品取り出し情報５ａに基づいて次の物品Ｓが取り出されたことを検出すると、収納位置・重量管理部６に収納位置外物品の存在を示す情報を供給する。収納位置・重量管理部６は、収納位置外物品の存在情報に基づいて収納外位置にその物品の重量を一時記憶する。次に、作業指示部９は、収納外位置を含めて組合せ演算を行なう指令を組合せ演算部７へ供給して、組合せ対象となる物品数を１つ増やした状態で組合せ演算を開始される。
【００２４】
これによって、設定された組合せ条件を満足する組合せが求められた場合、作業指示部９は、新たに取り出して未収納状態にある物品とその未収納状態にある物品と組合せる物品の収納位置とを音声メッセージで出力するとともに、未収納状態にある物品と組合せる物品の収納部の取り出しランプを点滅表示させる。ここで、取り出しランプの点滅は、点滅表示している収納部の物品と未収納状態にある物品とを組合せることを可視表示するものである。
【００２５】
組合せ対象となる物品数を１つ増やしても条件を満足する組合せが存在しない場合、作業指示部９は次の物品Ｓの取り出しを指示する。次の物品Ｓが取り出されると、作業指示部９は収納位置・重量管理部６に対して収納外位置の物品重量を新たな重量に更新させ後に、組合せ演算を開始させる。そして、作業指示部９は、新たに取り出した物品Ｓを含めて設定された合計重量範囲となる組合せが検出されるまで、新たな物品の取り出すことを繰り返させる。
【００２６】
組合せ条件を満足する組合せが検出された場合、作業者は該当する収納部から物品Ｓを取り出した後に、例えば「取り出し完了」や「完了」等の発声を行なう。音声認識部１１は、「取り出し完了」や「完了」等の発声を認識することで取り出しが完了したことを検出すると、取り出し作業が完了したことを作業指示部９へ伝える。作業指示部９は収納位置・重量管理部６内の該当する収納位置の重量データをクリアする（ゼロにする）。そして、作業指示部９は、次に取り出した物品Ｓを未収納状態となった収納部に対して収納させ、全ての収納部に物品が収納されると、組合せ演算を開始させる。
【００２７】
このように請求項１に係る組合せ計量装置１は、各収納部３Ａ〜３Ｎの全てに物品Ｓが収納された状態で組合せ条件を満足する組合せが存在しない場合、次に取り出した物品Ｓを含めて（組合せ対象数を収納部の数量＋１として）組合せ演算を行なうようにしているので、各収納部３Ａ〜３Ｎに一度収納した物品Ｓを入れ替えることなく、物品Ｓの組合せ計量作業を継続させることができる。
【００２８】
図２は請求項１に係る組合せ計量装置の使用例を示す説明図である。図２（ａ）に示すように、複数の物品Ｓを重量計（はかり）２の上に置く。図２（ｂ）に示すように、重量計（はかり）２の上の物品Ｓを１つ取り出すと、音声メッセージと収納ランプの点灯によって収納先が知らされるので、その場所に取り出した物品Ｓを置く。図２（ｃ）に示すように、全ての収納先に物品Ｓが収納されると、図２（ｄ）に示すように、設定された個数・合計重量を満足する物品Ｓの組合せが、取出ランプの点灯によって表示される。図２（ｅ）に示すように、取出ランプの点灯している収納先の物品Ｓを取り出し、組合せ商品として包装等する。図２（ｆ）に示すように、重量計（はかり）２の上の物品Ｓを１つ取り出すと、空いている収納先を音声メッセージと収納ランプの点灯によって知らせてくるので、その収納先に物品Ｓを置く。このように、図２（ｂ）〜図２（ｆ）の作業を繰り返すことで、所定の組合せ条件の商品組合せを順次得ることができる。
【００２９】
全ての収納先に物品Ｓが収納された状態で取出ランプが点灯しない場合は、重量計（はかり）２の上の物品Ｓを１つ取り出す。ここで取り出した物品Ｓを含めて設定された個数・重量を満足する組合せが検出されると取出ランプが点滅表示するので、点滅表示している収納先の物品Ｓと今取り出した商品とを組合せて包装等する。
【００３０】
図３は別実施例に係る組合せ計量装置の構成図であり、この実施例にあっては、重量計２から取り出した物品Ｓをベルトコンベア等によって画像処理部１５を通過させ、物品Ｓの形状（長さ、幅）、傷の有無、色合い等を検出し、この物品Ｓの画像データ１５ａを収納位置・重量・画像管理部１６へ供給する。
【００３１】
このような構成とすることで、例えば、物品Ｓを大，中，小等の複数の大きさランクに分け、ランク大のものは例えば３個の組合せで９９８〜１００８グラム，ランク中のものは例えば４個の組合せで９９８〜１００８グラム，ランク小のものは例えば５個で９９８〜１００８グラムとの条件を設定する。
大きさのランクを含む組合せ条件設定がなされた場合、組合せ演算部７は、各収納部に収納されている物品Ｓの重量と大きさに基づいて各物品Ｓをランク分けし、同一ランクの物品Ｓ群に対して組合せ演算を施す。
【００３２】
図４は別実施例に係る組合せ計量装置の構成図である。図４に示す計量装置２１は、重量計２と、制御装置２２と、複数の収納部２３Ａ〜２３Ｎと、排出物品搬送機構２４と、物品包装部２５とからなる。各収納部２３Ａ〜２３Ｎは、物品収納検出部２６Ａ〜２６Ｎと物品排出機構２７Ａ〜２７Ｎとをそれぞれ備える。制御装置２２は、物品重量測定部５と、収納位置・重量管理部６と、組合せ演算部７と、組合せ条件設定部８と、作業指示・排出制御部２８と、音声合成装置１０とを備える。
【００３３】
各物品収納検出部２６Ａ〜２６Ｎは、収納部２３Ａ〜２３Ｎに物品Ｓが収納されていない状態では未収納状態を示す情報を作業指示・排出制御部２８へ供給し、収納部２３Ａ〜２３Ｎに物品Ｓが収納されている状態では収納状態を示す情報を作業指示・排出制御部２８へ供給する。
【００３４】
各物品排出機構２７Ａ〜２７Ｎは、作業指示・排出制御部２８から物品排出指令が供給されると、収納部２３Ａ〜２３Ｎに収納されている物品Ｓを排出物品搬送機構２４側へ排出する。排出物品搬送機構２４はベルトコンベア等の搬送機構を用いて構成している。ベルトコンベア等から構成された排出物品搬送機構２４上に排出された物品Ｓは、物品包装部２５へ搬送される。物品包装部２５は、搬送された複数の物品Ｓを組合せ商品として包装する。
【００３５】
重量計２の上に載置された複数の物品Ｓの中から１つの物品Ｓが取り出されると、物品重量測定部５は計量データ２ａの変化量から取り出された物品Ｓの重量を求め、重量データ５ａを出力する。取り出された物品Ｓが空の収納部２３Ａ〜２３Ｎに収納されると、その収納部２３Ａ〜２３Ｎの物品収納検出部２６Ａ〜２６Ｎによって物品Ｓの収納が検出され、収納状態を示す情報が作業指示・排出制御部２８へ供給される。作業指示・排出制御部２８は、収納状態を示す情報が出力された収納部２３Ａ〜２３Ｎの位置を認識すると、収納位置情報を収納位置・重量管理部６へ供給し、物品の収納位置と収容された物品の重量とを対応付けて一時記憶させる。
【００３６】
作業指示・排出制御部２８は、全ての収納部２３Ａ〜２３Ｎに物品Ｓが収納されたことを検出すると、組合せ演算部７に組合せ演算を開始させる。組合せ演算部７は、組合せ条件設定部８によって設定された組合せ個数、合計重量範囲の組合せ条件を満足する組合せを検出すると、組合せ情報を作業指示・排出制御部２８へ供給する。作業指示・排出制御部２８は、組合せ演算部７から出力された組合せ情報に基づいて該当する各収納部２３Ａ〜２３Ｎに対して物品排出指令を出力し、物品排出機構２７Ａ〜２７Ｎを起動させて該当する収納部に収納されている物品Ｓを排出させる。これにより、組合せ条件を満足する各物品Ｓが排出物品搬送機構２４を介して物品包装部２５へ供給され、組合せ商品の包装等がなされる。
【００３７】
組合せ演算の結果、組合せ条件を満足する組合せが存在しないことが判明すると、作業指示・排出制御部２８は、音声合成装置１０を介して次の物品Ｓの取り出しを要求する音声メッセージを発生させる。作業指示・排出制御部２８は、物品重量測定部５からの物品取り出し情報５ａに基づいて次の物品Ｓが取り出されたこと認識すると、作業指示・排出制御部２８は、取り出された物品Ｓの重量データ５ｂを収納外位置に対応付けて収納位置・重量管理部６に一時記憶させた後に、収納外位置の物品を含めて組合せ演算を開始させる。この結果、組合せ条件を満足する組合せが検出されると、作業指示・排出制御部２８は、音声合成装置１０を介して取り出した物品Ｓを排出物品搬送機構２４上に置く旨の音声メッセージを出力させるとともに、組合せ対象となる収納部２３Ａ〜２３Ｎの物品排出機構２７Ａ〜２７Ｎを起動させて、組合せ対象となる物品Ｓを排出物品搬送機構２４側へ排出させる。作業指示・排出制御部２８は、組合せ条件を満足する組合せがみつかるまで新たな物品Ｓの取り出しを繰り返し要求する。
【００３８】
作業指示・排出指示部２８は、組合せ条件を満足する組合せが検出され、該当する収納部の物品排出機構２７Ａ〜２７Ｎに対して物品排出指令を出力した結果、該当する収納部２３Ａ〜２３Ｎから物品Ｓが排出されたことを物品収納検出部２６Ａ〜２６Ｎから出力される未収納状態を示す情報に基づいて確認すると、音声合成装置１０を介して未収納部への物品収納を促す音声メッセージを発生させる。
【００３９】
このように、図４に示した組合せ計量装置２１は、各収納部２３Ａ〜２３Ｎに物品収納検出部２６Ａ〜２６Ｎを設けたので、作業者は任意の未収納部に物品を収納するだけでよく、収納作業性が改善される。また、各収納部２３Ａ〜２３Ｎに物品排出機構２７Ａ〜２７Ｎを設けたので、組合せ対象となる物品Ｓを自動的に排出させることができ、収納物品の取り出し作業を不要にするとともに取り出し間違いをなくすことができる。
【００４０】
図５は収納部の一具体例を示す説明図である。物品収納検出部２６Ａ〜２６Ｎは、物品収納領域の一端側に所定の間隔で配置された複数の投光部３１ａ〜３１ｎと、物品収納領域の他端側で各投光部３１に対向させて配置された複数の受光部３２ａ〜３２ｎと、物品収納検出回路３３とからなる。物品収納検出回路３３は、各受光部３２ａ〜３２ｎの全てが投光部３１ａ〜３１ｎから投光された光を受光している状態では未収納状態を示す情報を出力し、１または複数の受光部３２ａ〜３２ｎが受光していない状態では収納状態を示す情報を出力する。
【００４１】
なお、図５では光電検出型の物品検出部２６Ａ〜２６Ｎを示したが、物品検出部２６Ａ〜２６Ｎは、感圧素子やマイクロスイッチ等を用いて物品収納領域に物品Ｓが載置していることを検出する構成としてもよい。
【００４２】
物品排出機構２７Ａ〜２７Ｎは、モータの回動出力を往復運動に変換する機構等を備え、物品排出指令に基づいて押し出し部３４を図示の仮想線位置まで往復動させることで、物品収納（載置）領域に載置された物品を排出する構成としている。なお、物品排出機構２７Ａ〜２７Ｎは、物品収納（載置）領域を傾動させて物品を排出したり、物品収納（載置）領域の底部を開閉させて物品を落下排出する構造としてもよい。また、物品収納（載置）領域をベルトコンベア等の物品移動機構で構成し、物品排出指令に基づいてベルトコンベア等の物品移動機構を動作させて物品を排出するようにしてもよい。
【００４３】
本実施の形態では、重量計２の上に載置された物品Ｓを手動で取り出して収納部へ収納する例を示したが、例えば真空吸着型チャック等を備えたロボットアーム等を利用して物品Ｓの取り出し・収納を自動化するようにしてもよい。
【００４４】
【発明の効果】
以上に説明したように、本発明に係る組合せ計量装置および組合せ計量方法は、各収納部に収納された収納物品と未収納物品とを含めて組合せ演算を行なえるようにしたので、全ての収納部に物品が収納された状態で目標重量範囲となる組合せが存在しなかった場合でも、次の物品を含めて目標重量範囲となる組合せを求めることできる。よって、収納部に収納した物品を入れ替えることなく目標重量範囲となる組合せを得ることができる。
【００４５】
また、本発明に係る組合せ計量装置および組合せ計量方法は、各収納部に物品収納検出部を設けたので、物品が収納された位置を自動的に検出させることができる。よって、作業者等は任意の未収納部に物品を収納することができ、収納作業性を改善できる。
【００４６】
更に、組合せ演算に基づいて予め設定した合計重量となる物品の組合せを求め、求めた組合せに基づいて該当する収納位置の物品を自動排出するようにすれば、目標重量範囲となる組合せの物品が自動的に取り出される。
【図面の簡単な説明】
【図１】本発明に係る組合せ計量装置の構成図
【図２】同組合せ計量装置の使用例を示す説明図
【図３】別実施例に係る組合せ計量装置の構成図
【図４】別実施例に係る組合せ計量装置の構成図
【図５】収納部の一具体例を示す説明図
【符号の説明】
１，２１…組合せ計量装置、２…重量計、３Ａ〜３Ｎ，２３Ａ〜２３Ｎ…収納部、４，２２…制御装置、５…物品重量測定部、６…収納位置・重量管理部、７…組合せ演算部、８…組合せ条件設定部、９…作業指示部、１０…音声合成装置、１１…音声認識装置、１２Ａ〜１２Ｎ…収納ランプ、１３Ａ〜１３Ｎ…取出ランプ、２４…排出物品搬送機構、２５…物品包装部、２６Ａ〜２６Ｎ…物品収納検出部、２７Ａ〜２７Ｎ…物品排出機構、２８…作業指示・排出制御部。
【図１】
0003561160.tif 000002
【図２】
0003561160.tif 000003
【図３】
0003561160.tif 000004
【図４】
0003561160.tif 000005
【図５】
0003561160.tif 000006